(57)【要約】【課題】専用の真偽判定フィルムを介することで文字や絵柄等の画像パターンが表示される潜像形成層を設けることにより、コピー機によるコピーを防ぐことのできるセキュリティ性の高い偽造防止対策を施した偽造防止カードを提供すること。【解決手段】シート状の基材１１の少なくとも片面に、基材に近い方から反射層１２、潜像形成層１３がこの順に形成されていること。反射層は、アルミニウム粉体を２０〜４０％含有するインキを印刷で設けたこと。潜像形成層は、サーモトロピック性を示す高分子液晶材料を含有するインキを任意の文字、絵柄等の画像パターン印刷で設けたこと。真偽判定フィルム１６は、円偏光フィルムであること。【選択図】図３
2004122566.tif 000002
【特許請求の範囲】
【請求項１】
シート状の基材の少なくとも片面に、該基材に近い方から反射層、潜像形成層がこの順に形成されていることを特徴とする偽造防止カード。
【請求項２】
シート状の基材の少なくとも片面に、該基材に近い方から反射層、潜像形成層、保護層がこの順に形成されていることを特徴とする偽造防止カード。
【請求項３】
前記反射層は、アルミニウム粉体を２０〜４０％含有するインキを用い印刷で設けたことを特徴とする請求項１、又は請求項２記載の偽造防止カード。
【請求項４】
前記潜像形成層は、サーモトロピック性を示す高分子液晶材料を含有するインキを用い任意の文字、絵柄等の画像パターン印刷で設けたことを特徴とする請求項１、請求項２、又は請求項３記載の偽造防止カード。
【請求項５】
前記潜像形成層は、サーモトロピック性を示す高分子液晶材料が用いられてあり、画像パターンを加熱及び加圧することで高分子液晶を配向せしめ、真偽判定フィルムを介してみることで、画像パターンを表示することを特徴とする請求項１〜請求項４のいずれか１項に記載の偽造防止カード。
【請求項６】
前記真偽判定フィルムは、円偏光フィルムであることを特徴とする請求項１〜請求項５のいずれか１項に記載の偽造防止カード。
【請求項７】
ＩＣモジュール、或いは磁気記録層の少なくともいずれか一つを用いた情報記録手段を有することを特徴とする請求項１〜請求項６のいずれか１項に記載の偽造防止カード。
【発明の詳細な説明】
【０００１】
【発明の属する技術分野】
本発明は、例えば、キャッシュカードやクレジットカード、ＩＤカード（身分証明書）、会員証、プリペイドカード等に用いられる情報記録媒体に関するもので、さらに詳しくは、文字や絵柄パターンの潜像画像を設け、専用の真偽判定フィルムを用いることで潜像画像を見ることができる偽造防止カードに関するものである。
【０００２】
【従来の技術】
従来から、キャッシュカード、クレジットカード及びＩＤカード等の分野において、磁気記録媒体が広く利用されるにつれ、不正な偽造により悪用される恐れも高まっており、偽造防止技術はカード製造においても重要な技術の一つとなってきている。
更に、近年では、カラーコピー機の飛躍的な進歩によりカラーコピー機を使用した偽造が目立ってきた。そのためカラーコピー機の特性を利用した数々の偽造防止技術が開発されている。
【０００３】
偽造防止技術の一つとして、分光反射率曲線に於いてシャープなピークを有するインキにて印刷することによりカラーコピーすると別の色になる方式がある。
また、別の方式として、万線の一部をカラーコピー機のスキャン走査にかからないような方向に設けることで、コピーすると方向が異なる万線の部分だけを浮き上がらせる方式、或いは、網点と万線を組み合わせることにより、コピーすると網点と万線の区別が強調される方式、更には、コピー機の分解能を超越するマイクロ文字を設ける方式、及び、印刷の一部に磁性インキ等の特殊インキを設ける方式等がある。
【０００４】
しかしながら、これらの偽造防止技術はカラーコピー機の進歩により効果がなくなりつつある。或いは、特定のカラーコピー機には有効であるが全てのカラーコピー機に通用しない場合がある。また磁性インキ等の特殊インキは、磁気ヘッド等の測定機を用いなければ真偽判定ができず不便である。
【０００５】
【発明が解決しようとする課題】
本発明は、以上のような問題点に着目してなされたもので、専用の真偽判定フィルムを介することで文字や絵柄等の画像パターンが表示される潜像形成層を設けることにより、コピー機によるコピーを防ぐことのできるセキュリティ性の高い偽造防止対策を施した偽造防止カードを提供することを課題する。
【０００６】
【課題を解決するための手段】
本発明は、シート状の基材の少なくとも片面に、該基材に近い方から反射層、潜像形成層がこの順に形成されていることを特徴とする偽造防止カードである。
【０００７】
また、本発明は、シート状の基材の少なくとも片面に、該基材に近い方から反射層、潜像形成層、保護層がこの順に形成されていることを特徴とする偽造防止カードである。
【０００８】
また、本発明は、上記発明による偽造防止カードにおいて、前記反射層は、アルミニウム粉体を２０〜４０％含有するインキを用い印刷で設けたことを特徴とする偽造防止カードである。
【０００９】
また、本発明は、上記発明による偽造防止カードにおいて、前記潜像形成層は、サーモトロピック性を示す高分子液晶材料を含有するインキを用い任意の文字、絵柄等の画像パターン印刷で設けたことを特徴とする偽造防止カードである。
【００１０】
また、本発明は、上記発明による偽造防止カードにおいて、前記潜像形成層は、サーモトロピック性を示す高分子液晶材料が用いられてあり、画像パターンを加熱及び加圧することで高分子液晶を配向せしめ、真偽判定フィルムを介してみることで、画像パターンを表示することを特徴とする偽造防止カードである。
【００１１】
また、本発明は、上記発明による偽造防止カードにおいて、前記真偽判定フィルムは、円偏光フィルムであることを特徴とする偽造防止カードである。
【００１２】
また、本発明は、上記発明による偽造防止カードにおいて、ＩＣモジュール、或いは磁気記録層の少なくともいずれか一つを用いた情報記録手段を有することを特徴とする偽造防止カードである。
【００１３】
【発明の実施の形態】
以下、本発明の実施の形態につき説明する。
本発明の偽造防止カードの構成の一実施例を図１に示す。図２は、図１の偽造防止カード上に真偽判定フィルムを載せた際に出現する潜像画像を示す平面図である。図３は、図２におけるＸ−Ｘ線の断面図である。
また、図４は、本発明の偽造防止カードの他の第一例である。図５は、図４の偽造防止カード上に真偽判定フィルムを載せた際に出現する潜像を示す平面図である。図６は、図５におけるＹ−Ｙ線における断面図である。
【００１４】
また、図７は、本発明の偽造防止カードの他の第二例である。図８は、図７の偽造防止カード上に真偽判定フィルムを載せた際に出現する潜像を示す平面図である。図９は、図８におけるＺ−Ｚ線の断面図である。
また、図１０は、本発明の偽造防止カードの他の第三例である。図１１は、図１０の偽造防止カードの表面上に真偽判定フィルムを載せた際に出現する潜像を示す平面図である。図１２は、図１０の偽造防止カードの裏面上に真偽判定フィルムを載せた際に出現する潜像を示す平面図である。図１３は、図１１及び図１２におけるＺ２−Ｚ２線の断面図である。
また、図１４は、本発明の偽造防止カードの層間における光路の状態を概念的に示す説明図である。
【００１５】
図１に示すように、本発明の偽造防止カードの一実施例は、シート状の基材１１の片面上に反射層１２と潜像形成層１３が順次設けられ、更にオーバーシート層１４が設けられているものである。
本発明における基材１１及びオーバーシート層１４、１５は、塩化ビニルシート、ポリカーボネートシート、アクリロニトリルブタジエンスチレンシート、非晶性ポリエステルシート、紙シート等である。
【００１６】
塩化ビニルシートは、塩化ビニル樹脂、塩化ビニル−酢酸ビニル共重合体等であり、ポリカーボネートシートは、ビスフェノールＡを主成分とするポリカーボネートであり、アクリロニトリルブタジエンスチレンシートは、アクリポリアリレートとのポリマーアロイであり、紙シートは、上質紙、アート紙、コート紙、合成紙等である。基材及びオーバーシート層の厚さは用途に応じて選択し、適宜使用できる。
【００１７】
また、上記の樹脂だけではカードとしての種々の物性が十分ではないため、これらの樹脂に各種フィラー、及び添加剤を添加することができる。添加するフィラーとしては、例えば、無定型フィラー内に重質炭酸カルシウム、軽質炭酸カルシウム、天然シリカ、カオリン、クレー、酸化チタン、硫酸バリウム、酸化亜鉛、水酸化アルミニウム、アルミナ、水酸化マグネシウム等がある。また、板状フィラーでは、例えば、タルク、マイカガラスフレーク等がある。
【００１８】
針状フィラーでは、例えば、ウォラストナイト、チタン酸カリウム、塩基性硫酸マグネシウム、セピオライト、ゾノトライト、ホウ酸アルミニウム等がある。
中でも樹脂に入れる白色顔料としては酸化チタンなどがよく用いられる。またエンボス加工性などをあげるためにタルクがよく利用される。前記フィラーを混練させることにより、剛性をはじめとして、耐久性、耐熱変形性、成形加工性、耐衝撃強度、寸法安定性、等の特性が改良できる。前述のフィラーは単体で添加することができるが、数種で同時に添加することもできる。目標の物性値によって、フィラーを選択して使用することができる。
【００１９】
本発明における基材及びオーバーシート層は押し出し法及びカレンダー加工によりシート化できる。
本発明におけるカード素材を用いたカードの製造方法には、加熱プレス機による溶融ラミネート方式がある。溶融ラミネート方式とは、カード素材の大きさより一回り大きい鏡面板で挟み込み、その後加熱プレス機によりカード素材を一体化する方法である。その際、印刷された基材の両面に透明な保護シートを積層してラミネートを行うが、その両面に積層する保護シートの種類は異なっていてもよい。また、鏡面板は、ニッケル−クロムメッキした銅板、表面を研磨したステンレス板、表面を研磨したアルミ板等を用いることができる。
次に、溶融ラミネートしたカード素材を鏡面板から剥がし、その一体化したカード素材を片刃またはオスーメスの金型による打ち抜きでカード形状に打ち抜き、シート状の基材を得る。
【００２０】
本発明における基材には、例えば、磁気記録層を設けることもでき、基材の片面あるいは両面に、従来から用いられている熱転写タイプの磁気テープを転写で設けることができる。或いは、基材に直接磁気記録層を印刷して設けることもできる。
また、本発明における基材への印刷は、オフセット印刷法、スクリーン印刷法、グラビア印刷法等の公知の印刷法で文字或いは絵柄を印刷することができる。
【００２１】
本発明における反射層１２は、アルミニウム粉体を２０〜４０％含有するインキを、スクリーン印刷法、オフセット印刷法、ロールコーティング法等の公知の印刷方法を用いて、印刷し形成することができる。このインキは、シクロヘキサノン、γ―ブチロラクトン、イソホロン等のケトン系溶剤、または、１，３，５−トリメチルベンゼン等の芳香族系溶剤と塩酢ビ樹脂をバインダーとする一液型スクリーンインキ、及び溶剤を使用しないインキである紫外線硬化型インキまたは電子線硬化型インキを使用することができる。
アルミニウム粉体の含有量が、２０％未満では隠蔽が十分でなく反射層としての機能をはたさない。また、２０％以上では反射層が脆くなり強度が十分でない。
【００２２】
紫外線硬化型インキとは、プレポリマー、モノマー、および光重合開始剤（増感剤）からなっており、光重合開始剤が特定波長の紫外線を吸収して、連鎖反応を起こしインキを硬化させる。プレポリマーとしては、ウレタンアクリレート、エポキシアクリレート、ポリエステルアクリレート等の樹脂を使用することができ、モノマーとしては、アクリルモノマー、アクリルオリゴマー等を使用することができる。
また、電子線硬化型インキとは、無溶剤型印刷インキの一種であり、エネルギー強度の高い電子線の照射で急速に硬化乾燥するインキである。電子線は不透明皮膜や厚い皮膜へのエネルギー透過性が強力なので、インキに増感剤、反応開始剤を添加する必要はない。
【００２３】
本発明における潜像形成層１３は、任意の文字や絵柄パターン形状で形成した高分子液晶材料で形成されている。高分子液晶材料は、８０〜２００℃程度の融点を有し、サーモトロピック性を示す高分子液晶が好ましく、例えば、ポリエステル共重合体、ポリエーテル、ポリカーボネート、ポリイソシアネート、ポリグルタミン酸エステル等のサーモトロピック性高分子液晶である。このサーモトロピック性高分子液晶は、例えば、グラビア印刷法、スクリーン印刷法、ノズルコーター法等の既知の方式により設けることができる。
この潜像形成層は通常に印刷された状態では、特定の結晶構造を示さず、ランダムな分子状態で形成されている。本発明における潜像画像は、高分子液晶材料に熱圧を加えることによって液晶性を示し、一定方向に配向が生じる。画像の形成方法としては、熱ロール、ホットスタンプ、サーマルヘッド、レーザーによる加熱等が可能である。
【００２４】
本発明における真偽判定フィルム１６は、円偏光フィルムである。円偏光フィルムは、偏光フィルムに、１／４波長フィルムを重ねたフィルムである。また、偏光フィルムには、ＰＶＡ延伸フィルムにヨードを吸収させたＰＶＡ−ヨウ素型、二色性染料型、金属または金属化合物含有型、ポリエン型などの高分子多結晶型等があり、特にＰＶＡ−ヨウ素型及び二色性染料型フィルムが用いられる。
【００２５】
図９に示すように、偽造防止カードの他の第二例においては、基材上にオーバーシート層、磁気テープが設けられ、その上に反射層３１と潜像形成層３２と保護層３３が順次設けられている。
本発明における保護層３３は、潜像形成層３２を外傷から保護し、また画像形成時の熱圧から画像形成痕による潜像画像の視認を防ぐ役割を持つもので、使用される樹脂としては、例えば、アクリル系樹脂、ウレタン系樹脂、塩化ビニル樹脂−酢酸ビニル共重合樹脂、ポリエステル系樹脂、メラミン系樹脂、エポキシ系樹脂、ポリスチレン系樹脂、ポリイミド樹脂等の従来公知の熱可塑性樹脂、熱硬化性樹脂、紫外線または電子線硬化樹脂を単独、或いは混合して用いることができる。
【００２６】
更に、サーマルヘッド等による画像形成時の印字痕防止のために、樹脂を架橋する硬化剤、ポリエチレンワッス、カルナバワックス、シリコンワックス等のワックス類、或いは炭酸カルシウム、ステアリン酸亜鉛、シリカ、アルミナ、タルク等の体質顔料、シリコ−ン油脂等の油脂類で透明性を損なわない範囲で添加することができる。
この保護層３３に用いる樹脂は、例えば、グラビア印刷法、スクリーン印刷法、ノズルコーター法等の既知の塗布手段およびオフセット印刷法、フレキソ印刷法等の印刷手段により塗工する。
【００２７】
図１４は、本発明の潜像を有するカード媒体における層間、即ち、偏光フィルム７２と潜像形成層７３と反射層７４間の光路の状態を概念的に示す説明図である。このように光源７１より偏光フィルム７２を通して楕円偏光となった白色照射光７５が、部分的に分子配向に異方性をもたせた潜像形成層７３を透過し、直線偏光７６に変わり、反射層７４で反射した直線偏光７７は、再度潜像形成層７４を透過し、楕円偏光７８に変わる。
そして、再度、偏光フィルム７２を通して透過光７９が得られる。この透過光７９は波長によって光の強さが異なるため、多彩な色相を有する画像が得られる。また、偏光フィルムの配向方向と分子配向された潜像形成層との角度によっても見える色相が異なってくる。
【００２８】
【実施例】
以下実施例により本発明を詳細に説明する。
＜実施例１＞
図３に示すように、厚み０．６ｍｍの白色ＰＶＣ（三菱樹脂（株）製：ディアフィクス）シートを基材とし、基材１１の表面に、下記［反射層の組成］からなる反射層インキをスクリーン印刷で印刷し、厚さ２〜３μｍの反射層１２を設けた。
更に、潜像形成層を設けるために、下記［潜像形成層の組成］からなるサーモトロピック性高分子材料インキをスクリーン印刷法で印刷し、約０．５μｍの潜像形成層１２を形成し、更に、絵柄印刷層をスクリーン印刷法で印刷した。また、その基材１１の裏面に、絵柄印刷層をオフセット印刷により施した。
【００２９】
次に、印刷を施した基材１１の表裏面に厚み０．１ｍｍの透明ＰＶＣ（三菱樹脂（株）製：ディアフィクス）シートをオーバーシート層１６、１７として重ね、表面を平滑にしたステンレス板で挟み込み、１４０℃で２０分間圧着熱融着させて冷却固化させた。
その後カード形状に打ち抜き、潜像画像を有する偽造防止カードを得た。
［反射層の組成］
・銀色の着色顔料（東洋インキ製造（株）製：ＳＳ８−９７６２８信販銀）
・スクリーンインキメジウム（東洋インキ製造（株）製：ＳＳ８−０００）
［高分子液晶層の組成］
・高分子液晶　　　　　　　　　　　　　　　　　　　　　　　　　　２０重量部
（旭電化工業（株）製：キラコールＰＬＣ−７００３）
・テトラヒドロフラン　　　　　　　　　　　　　　　　　　　　４０重量部
・トルエン　　　　　　　　　　　　　　　　　　　　　　　　　４０重量部
【００３０】
得られた潜像画像を有する偽造防止カードは、目視では潜像画像を全く視認できず、単なるオーバープリントカードにしか見えない。しかし、真偽判定フィルム１６を介して目視すると、潜像画像パターンが鮮明に出現し、良好な潜像画像を確認することができた。
また、上記偽造防止カードをカラーコピーしたが、潜像画像の再現ができず、偽造不可能な事が分かった。
【００３１】
＜実施例２＞
図６に示すように、厚み０．６ｍｍの白色ＰＶＣ（三菱樹脂（株）製：ディアフィクス）シートを基材とし、基材２１の表面に、下記［反射層の組成］からなる反射層インキをスクリーン印刷で印刷し、厚さ２〜３μｍの反射層２２を設けた。更に、潜像形成層を設けるために、下記［潜像形成層の組成］からなるサーモトロピック性高分子材料インキをスクリーン印刷法で印刷し、約０．５μｍの潜像形成層２３を形成し、更に、絵柄印刷層２８をスクリーン印刷法で印刷した。また、その基材２１の裏面に、絵柄印刷層２９をオフセット印刷により施した。
【００３２】
次に、印刷を施した基材２１の表面に磁気テープ２４を転写した厚み０．１ｍｍの透明ＰＶＣ（三菱樹脂（株）製：ディアフィクス）シートをオーバーシート層２５として、裏面にも同じシートをオーバーシート層２６として重ね、表面を平滑にしたステンレス板で挟み込み、１４０℃で２０分間圧着熱融着させて冷却固化させた。
その後カード形状に打ち抜き、潜像画像を有する偽造防止カードを得た。
［反射層の組成］
・銀色の着色顔料（東洋インキ製造（株）製：ＳＳ８−９７６２８信販銀）
・スクリーンインキメジウム（東洋インキ製造（株）製：ＳＳ８−０００）
［高分子液晶層の組成］
・高分子液晶　　　　　　　　　　　　　　　　　　　　　　　　　　２０重量部
（旭電化工業（株）製：キラコールＰＬＣ−７００３）
・シクロヘキサノン　　　　　　　　　　　　　　　　　　　　　４０重量部
・トルエン　　　　　　　　　　　　　　　　　　　　　　　　　４０重量部
【００３３】
得られた潜像画像を有する偽造防止カードは、目視では潜像画像を全く視認できず、単なるオーバープリントカードにしか見えない。しかし、真偽判定フィルム２７を介して目視すると、潜像画像パターンが鮮明に出現し、良好な潜像画像を確認することができた。
また、上記偽造防止カードをカラーコピーしたが、潜像画像の再現ができず、偽造不可能な事が分かった。
【００３４】
＜実施例３＞
図９に示すように、厚み０．６ｍｍの白色ＰＥＴＧ／ＰＣ（三菱樹脂（株）製：ディアフィクス）シートを基材とし、基材４１の裏面に、絵柄印刷層４５をオフセット印刷により施した。その基材４１の表面に磁気テープ４２を転写した厚み０．１ｍｍの透明ＰＥＴＧ／ＰＣ（三菱樹脂（株）製：ディアフィクス）シートをオーバーシート層４３として、裏面にも同じシートをオーバーシート層４４として重ね、表面を平滑にしたステンレス板で挟み込み、１４０℃で２０分間圧着熱融着させて冷却固化させた。
【００３５】
次に、その基材の表面に下記［磁気隠蔽兼反射層の組成］からなる磁気隠蔽兼反射層インキをスクリーン印刷で印刷し、厚さ２〜３μｍの磁気隠蔽兼反射層３１を設けた。更に、潜像形成層を設けるために、下記［潜像形成層の組成］からなるサーモトロピック性高分子材料インキをスクリーン印刷法で印刷し、約０．５μｍの潜像形成層３２を形成し、更に、絵柄印刷層４６をクリーン印刷法で印刷した。
その後、下記［保護層の組成］からなる保護層用インキをオフセット印刷法にて印刷し、約３μｍの保護層３３を形成した。この保護層は、アンカーメジウムをオフセット印刷法にて約１μｍ印刷塗工し、その上にトップコートニスをオフセット印刷法にて約２μｍ印刷塗工して形成した。
次に表面を平滑にしたステンレス板で挟み込み、１０５℃で２０分間圧着させ表面を面一にした後カード形状に打ち抜き、潜像画像を有する偽造防止カードを得た。
【００３６】
［磁気隠蔽兼反射層の組成］
・銀色の着色顔料（東洋インキ製造（株）製：ＳＳ８−９７６２８信販銀）
・ポリエステルアクリレート
・アクリルモノマー
・光重合開始剤
［高分子液晶層の組成］
・高分子液晶　　　　　　　　　　　　　　　　　　　　　　　　　　２０重量部
（旭電化工業（株）製：キラコールＰＬＣ−７００３）
・テトラヒドロフラン　　　　　　　　　　　　　　　　　　　　４０重量部
・トルエン　　　　　　　　　　　　　　　　　　　　　　　　　４０重量部
［保護層の組成］
・アンカーメジウム　　　　　　　　　　　　　　　　　　　　１００重量部
（東洋インキ製造（株）製：ＦＤＳメジウムＴＰＯ）
・トップコートニス　　　　　　　　　　　　　　　　　　　　１００重量部
（（株）Ｔ＆Ｋ　ＴＯＫＡ製：マットＯＰニス３Ｈ）
【００３７】
得られた潜像画像を有する偽造防止カードは、目視では潜像画像を全く視認できず、単なるオーバープリントカードにしか見えない。しかし、真偽判定フィルム３４を介して目視すると、潜像画像パターンが鮮明に出現し、良好な潜像画像を確認することができた。
また、上記偽造防止カードをカラーコピーしたが、潜像画像の再現ができず、偽造不可能な事が分かった。
【００３８】
【発明の効果】
本発明による偽造防止カードによれば、潜像画像形成手段として、画像パターンを形成した高分子液晶を用い、目視では画像パターンが全く分からない潜像画像を有する偽造防止カードを製造することが可能となる。また、専用の真偽判定フィルムを介することで、潜像画像が出現するという簡単な検証方法にて、潜像画像を確認することができるため、高い偽造防止効果を考慮した偽造防止カードとなる。従って、本発明の偽造防止カードにおいて、優れた実用上の効果を発揮する。
【図面の簡単な説明】
【図１】本発明による偽造防止カードの一実施例を示す平面図である。
【図２】図１の偽造防止カード上に真偽判定フィルムを載せた際に出現する潜像画像を示す平面図である。
【図３】図２におけるＸ−Ｘ線の断面図である。
【図４】本発明の偽造防止カードの他の第一例を示す平面図である。
【図５】図４の偽造防止カード上に真偽判定フィルムを載せた際に出現する潜像を示す平面図である。
【図６】図５におけるＹ−Ｙ線における断面図である。
【図７】本発明の偽造防止カードの他の第二例を示す平面図である。
【図８】図７の偽造防止カード上に真偽判定フィルムを載せた際に出現する潜像を示す平面図である。
【図９】図８におけるＺ−Ｚ線の断面図である。
【図１０】本発明の偽造防止カードの他の第三例を示す平面図である。
【図１１】、図１０の偽造防止カードの表面上に真偽判定フィルムを載せた際に出現する潜像を示す平面図である。
【図１２】図１０の偽造防止カードの裏面上に真偽判定フィルムを載せた際に出現する潜像を示す平面図である。
【図１３】図１１及び図１２におけるＺ２−Ｚ２線の断面図である。
【図１４】本発明の偽造防止カードの層間における光路の状態を概念的に示す説明図である。
【符号の説明】
１・・偽造防止カード
２、３、５・・磁気テープ付き偽造防止カード
１１、２１、４１、６１・・基材
１２、３１、５１、６２、７４・・反射層
１３、２３、３２、５２、６３、７３・・潜像形成層
１４、１５、２５、２６、４３、４４、６５、６７・・オーバーシート層
１６、２７、３４、５４、６８・・真偽判定フィルム
２４、４２、６４、６６・・磁気テープ
２８、２９、４５、４６・・絵柄印刷層
３３、５３・・保護層
７１・・光源
７２・・偏光フィルム
７５・・楕円偏光となった白色照射光
７６、７７・・直線偏光
７８・・楕円偏光
７９・・透過光
【図１】
2004122566.tif 000003
【図２】
2004122566.tif 000004
【図３】
2004122566.tif 000005
【図４】
2004122566.tif 000006
【図５】
2004122566.tif 000007
【図６】
2004122566.tif 000008
【図７】
2004122566.tif 000009
【図８】
2004122566.tif 000010
【図９】
2004122566.tif 000011
【図１０】
2004122566.tif 000012
【図１１】
2004122566.tif 000013
【図１２】
2004122566.tif 000014
【図１３】
2004122566.tif 000015
【図１４】
2004122566.tif 000016